(57)【特許請求の範囲】
【請求項１】
台所と台所に隣接する部屋との間にこれらの間を仕切るように収納家具と加熱調理台とを配置すると共に加熱調理台が台所側を向き収納家具が台所に隣接する部屋を向くように加熱調理台と収納家具とを背中合わせに配置し、収納家具の一方の側面の側面パネルを壁面に沿わせ、収納家具の加熱調理台より上方に突出する背面に不燃材を装着し、不燃材の壁側の側端と壁面との間に隙間覆い部材を配置し、隙間覆い部材のパネル嵌合部に側面パネルの背面側の端縁を嵌合すると共にパネル嵌合部を固着具にて壁に固定し、上記不燃材を下地側の不燃ボードと表面化粧用のキッチンボードとで構成し、隙間覆い部材の固定片を固着具にて不燃ボードに固定し、隙間覆い部材のボード嵌合部内にキッチンボードの壁側の端縁を嵌合して成ることを特徴とする対面式キッチンユニット。
【請求項２】
収納家具の上面の周縁に飾り縁を配置すると共に収納家具の上面に取り付けた飾り縁支持部材で飾り縁を取り付けるにあたって、不燃材を取り付けた側では飾り縁支持部材に延長部材を継ぐと共にこの延長部材を収納家具の天板に固定したことを特徴とする請求項１記載の対面式キッチンユニット。
【発明の詳細な説明】
【０００１】
【発明の属する技術分野】
本発明は台所とこの台所に隣接するダイニングルーム等の部屋との間に設置する対面式キッチンユニットの構造に関するものである。
【０００２】
【従来の技術及び発明が解決しようとする課題】
近年、台所と台所に隣接するダイニングルームとの間に対面式キッチンユニットを設けることが広く行われるようになってきたが、ガス器具等を配置した加熱調理台を対面式キッチンユニットに組み込んだ場合、加熱調理台の背面側に防火性のある壁体を設けたりしなければならなく、加熱調理台の背面側の空間を有効に利用できないという問題がある。
【０００３】
本発明は叙述の点に鑑みてなされたものであって、加熱調理台の背面側に収納家具を配置しても防火上問題のないように施工できて加熱調理台の背面側の空間を有効に利用でき、しかも外観よくできる対面式キッチンユニットを提供することを課題とする。
【０００４】
【課題を解決するための手段】
上記課題を解決するため本発明の請求項１の対面式キッチンユニットは、台所１と台所１に隣接する部屋２との間にこれらの間を仕切るように収納家具３と加熱調理台４とを配置すると共に加熱調理台４が台所１側を向き収納家具３が台所１に隣接する部屋２を向くように加熱調理台４と収納家具３とを背中合わせに配置し、収納家具３の一方の側面の側面パネル５を壁６面に沿わせ、収納家具３の加熱調理台４より上方に突出する背面に不燃材７を装着し、不燃材７の壁６側の側端と壁６面との間に隙間覆い部材８を配置し、隙間覆い部材８のパネル嵌合部９に側面パネル５の背面側の端縁を嵌合すると共にパネル嵌合部９を固着具１０にて壁６に固定し、上記不燃材７を下地側の不燃ボード７ａと表面化粧用のキッチンボード７ｂとで構成し、隙間覆い部材８の固定片１１を固着具１２にて不燃ボード７ａに固定し、隙間覆い部材８のボード嵌合部１３内にキッチンボード７ｂの壁６側の端縁を嵌合して成ることを特徴とする。収納家具３の加熱調理台４より上方に突出する背面に不燃材７を装着したことにより加熱調理台４の背面側に収納家具３を配置しても防火構造にでき、対面式キッチンユニットであっても加熱調理台４を配置できると共に加熱調理台４の背面側の空間を有効に利用して収納できる。また収納家具３の背面側に不燃材７を取り付けても不燃材７と壁６面との間を外観よく仕舞うことができて外観よく施工できる。また隙間覆い部材８で収納家具３の側面パネル５を壁６に固定できるのは勿論、壁６と不燃材７との間に隙間覆い部材８をぴったり確実に取り付けることができ、しかも表面のキッチンボード７ｂの端縁を外観よく仕舞うことができる。
【０００６】
また本発明の請求項２の対面式キッチンユニットは、請求項１または請求項２において、収納家具３の上面の周縁に飾り縁１４を配置すると共に収納家具３の上面に取り付けた飾り縁支持部材１５で飾り縁１４を取り付けるにあたって、不燃材７を取り付けた側では飾り縁支持部材１５に延長部材１６を継ぐと共に延長部材１６を収納家具３の天板１７に固定したことを特徴とする。収納家具３の上面の周縁に飾り縁１４を取り付けることができて外観よくできる。また飾り縁１４を飾り縁支持部材１５で収納家具３の天板１７に取り付けるが、不燃材７を取り付ける側でも延長部材１６を用いることで同じ飾り縁支持部材１５を用いて取り付けることができる。
【０００７】
【発明の実施の形態】
本発明の対面式キッチンユニットは台所１と台所１に隣接する部屋２との間に設置されるのであるが、本例の場合、図１乃至図３に示すように隣接する部屋がダイニングルーム２ａである例について述べる。台所１とダイニングルーム２ａとの間には加熱調理台４、流し台１８等の調理台を並べて設置してあり、加熱調理台４、流し台１８等の調理台の前面は台所１側を向いている。加熱調理台４はガス機器等を設置してあり、上面で煮炊き等の加熱調理を行うようになっている。この加熱調理台４は部屋の壁６際に壁６面と直交するように設置されている。
【０００８】
この加熱調理台４の背面側には加熱調理台４と背中合わせになるように収納家具３を配置してあり、収納家具３の扉２０をダイニングルーム２ａ側に向けてある。この収納家具３は本例の場合、加熱調理台４と略同じ高さの下部収納部３ａと、加熱調理台４の上面から天井近くまで至る高さの上部収納部３ｂとで形成されている。この上部収納部３ｂは本例の場合カップボードと称される食器棚である。この収納家具３の両側には側面パネル５が貼られているが、一方の側面パネル５が壁６面に沿わせてある。他方の側面パネル５側で収納家具３の上面と天井とは天井固定板２１で連結してある。天井板２２の下面には上固定棧２３が配置され、上固定棧２３の下面から天井材２２を介して野縁２４にビス等の固着具２５を打入することで上固定棧２３が取り付けられている。上固定棧２３の真下で収納家具３の上面には下固定棧２６がビス等の固着具２５で固着されており、上固定棧２３と下固定棧２６との間に上記天井固定板２１を架設して連結してある。流し台１８の背部には上方に突出する立ち上がり部１９を設けてあり、立ち上がり部１９の上端には対面カウンター２７を装着してある。
【０００９】
加熱調理台４のより上方に突出する部分で収納家具３の背面には下地棧２８を介して不燃材７が取り付けられる。不燃材７は下地側の不燃ボード７ａと表面化粧用のキッチンボード７ｂとで構成されている。下地側の不燃ボード７ａは例えば珪酸カルシウム板であり、表面化粧用のキッチンボード７ｂは例えば化粧珪酸カルシウム板である。下地棧２８には下地棧２８に重ねるように不燃ボード７ａが貼られ、不燃ボード７ａの上には不燃ボード７ａに重ねるようにキッチンボード７ｂが貼られる。不燃材７の上端ではキッチンボード７ｂの上から押さえるようにボード固定金具２９が配置され、ボード固定金具２９から不燃ボード７ａ及び下地棧２８にビス等の固着具３０を打入してある。不燃材７の下端は下地棧２８と加熱調理台４のカウンター３１と間に挟まれ、カウンター３１の背部上のバックガード３２にて仕舞ってある。キッチンボード７ｂの上部にはレンジフード４０を取り付けてある。
【００１０】
また不燃材７の壁６側の側端と壁６面との間は隙間覆い部材８にて次のように仕舞われる。この隙間覆い部材８はアルミニウム等を押出成形することにより形成された型材であり、図４に示すように断面略コ字状のパネル嵌合部９、固定片１１、断面略コ字状のボード嵌合部１３を有している。パネル嵌合部９には固定穴３３を貫通するように穿孔してあり、固定片１１に固定穴３４を穿孔してある。壁６側の側面パネル５の背面側には隙間覆い部材８が配置され、パネル嵌合部９内に側面パネル５の背面側の端縁が嵌合され、ボード嵌合部９内から固定穴３３にビスのような固着具１０が挿通されると共に固着具１０が壁６に打入され、隙間覆い部材８と側面パネル５とが壁６面に取り付けられる。隙間覆い部材８の固定片１０は不燃ボード７ａの上に重ねられ、固定穴３４からビスのような固着具１２が不燃ボード７ａに打入されて固定片１０が不燃ボード７ａに固定され、キッチンボード７ｂの端縁はボード嵌合部１３に嵌合されて仕舞われる。このように隙間覆い部材８を用いて仕舞うことにより、隙間覆い部材８にて収納家具３の側面パネル５を壁６面に固定でき、しかも壁６面とキッチンボード７ｂの端縁との間を綺麗に仕舞うことができる。
【００１１】
また天井板２２と収納家具３の上端との間には図７に示すように収納家具３の上面の台所１側及びダイニングルーム２ａ側の位置で夫々上巾木３５が貼られ、収納家具３の上端と天井板２２との間が仕舞われるようになっている。また収納家具３の不燃材７側の上端の上、収納家具３の扉２０側の上端の上、及び対面カウンター２７側の側面パネル５の上端の上には、これらに沿って図６乃至図８に示すように飾り縁１４が取り付けられる。これらの飾り縁１４を取り付けるとき飾り縁支持部材１５を用いて取り付けられるものであり、収納家具３の上端に固定した飾り支持部材１５の嵌合凸部３６と飾り縁１４の嵌合凹部３７とを嵌合して接着剤等にて接着することにより固定される。飾り縁支持部材１５を収納家具３の上に取り付けるときは収納家具３の天板１７の下面側から天板１７を介して飾り縁支持部材１５にビス等の固着具３８を打入して取り付けられる。ところが、不燃材７の上に飾り縁１４を取り付ける場合には、下地棧２８の厚さが厚くて天板１７の下から飾り縁支持部材１５に固着具３８を打入することができないために次の方策を採っている。つまり、飾り縁支持部材１５に延長部材１６をビス等の固着具３９にて固定して延長部材１６を継ぎ、天板１７の下面からビス等の固着具３８を延長部材１６に打入して固定している。このようにすると、同じ飾り縁支持部材１５を用いて飾り縁１４を取り付けることができる。
【００１２】
【発明の効果】
本発明の請求項１の発明は、台所と台所に隣接する部屋との間にこれらの間を仕切るように収納家具と加熱調理台とを配置すると共に加熱調理台が台所側を向き収納家具が台所に隣接する部屋を向くように加熱調理台と収納家具とを背中合わせに配置し、収納家具の一方の側面の側面パネルを壁面に沿わせ、収納家具の加熱調理台より上方に突出する背面に不燃材を装着しているので、加熱調理台の背面側に収納家具を配置しても防火構造にできるものであって、対面式キッチンユニットであっても加熱調理台を配置できると共に加熱調理台の背面側の空間を有効に利用して収納できるものであり、しかも不燃材の壁側の側端と壁面との間に隙間覆い部材を嵌め込んで取り付けているので、収納家具の背面側に不燃材を取り付けても不燃材と壁面との間を外観よく仕舞うことができて外観よく施工できるものである。また隙間覆い部材のパネル嵌合部を側面パネルの背面側の端縁を嵌合すると共にパネル嵌合部を固着具にて壁に固定し、上記不燃材を下地側の不燃ボードと表面化粧用のキッチンボードとで構成し、隙間覆い部材の固定片を固着具にて不燃ボードに固定し、隙間覆い部材のボード嵌合部内にキッチンボードの壁側の端縁を嵌合したので、隙間覆い部材で収納家具の側面パネルを壁に固定できるのは勿論、壁と不燃材との間に隙間覆い部材をぴったり確実に取り付けることができ、しかも表面のキッチンボードの端縁を外観よく仕舞うことができるものである。
【００１４】
また本発明の請求項２の発明は、請求項１において、収納家具の上面の周縁に飾り縁を配置すると共に収納家具の上面に取り付けた飾り縁支持部材で飾り縁を取り付けたので、収納家具の上面の周縁に飾り縁を取り付けることができて外観よくできるのは勿論、飾り縁支持部材で飾り縁を取り付けるにあたって、不燃材を取り付けた側では飾り縁支持部材に延長部材を継ぐと共に延長部材を収納家具の天板に固定したので、不燃材を取り付ける側でも延長部材を用いることで同じ飾り縁支持部材を用いて取り付けることができるものである。
【図面の簡単な説明】
【図１】本発明の実施の形態の一例の一部切欠正面図である。
【図２】同上の一部切欠平面図である。
【図３】同上の一部切欠側面図である。
【図４】同上の隙間覆い部材を示し、（ａ）は一部切欠平面図、（ｂ）は一部切欠正面図、（ｃ）は側面図である。
【図５】同上の隙間覆い部材の取り付け状態を示す断面図である。
【図６】同上の飾り縁を取り付ける位置を説明する平面図である。
【図７】図６のＡ−Ａ線で切断した拡大断面図である。
【図８】図６のＢ−Ｂ線で切断した拡大断面図である。
【符号の説明】
１  台所
２  台所に隣接する部屋
３  収納家具
４  加熱調理台
５  側面パネル
６  壁
７  不燃材
７ａ  不燃ボード
７ｂ  キッチンボード
８  隙間覆い部材
９  パネル嵌合部
１０  固着具
１１  固定片
１２  固着具
１３  ボード嵌合部
１４  飾り縁
１５  飾り縁支持部材
１６  延長部材
１７  天板
【図１】
0003584836.tif 000002
【図２】
0003584836.tif 000003
【図３】
0003584836.tif 000004
【図４】
0003584836.tif 000005
【図５】
0003584836.tif 000006
【図６】
0003584836.tif 000007
【図７】
0003584836.tif 000008
【図８】
0003584836.tif 000009